(57)【特許請求の範囲】
【請求項１】
液晶パネルを駆動するためのアナログ回路、及び、ＩＣであるデジタル回路を実装した単層基板と、
ＨＤＭＩ規格に準拠した外部機器と交信する為のＨＤＭＩ用インターフェースを一端側に実装すると共に、上記ＩＣに並ぶピンに直付けされたスタックコネクタを介して他端側にて上記デジタル回路と電気的に接続され、該ＨＤＭＩ用インターフェースが上記単層基板の外周側に位置するように且つ該単層基板の厚み方向に重なるように配置され、該ＨＤＭＩ用インターフェースと上記デジタル回路との間を電気的に接続する配線パターンが形成された多層基板と
を、備えることを特徴とする回路基板。
【請求項２】
液晶パネルを駆動するためのアナログ回路、及び、ＩＣであるデジタル回路を実装した単層基板と、
上記液晶パネルへ高周波の差動信号を出力する為のパネル出力インターフェースを一端側に実装すると共に、上記ＩＣに並ぶピンに直付けされたスタックコネクタを介して他端側にて上記デジタル回路と電気的に接続され、該パネル出力インターフェースが上記単層基板の外周側に位置するように且つ該単層基板の厚み方向に重なるように配置され、該パネル出力インターフェースと上記デジタル回路との間を電気的に接続する配線パターンが形成された多層基板と
を、備えることを特徴とする回路基板。
【請求項３】
液晶パネルを駆動するためのアナログ回路、及び、フラットパッケージ化された略矩形のＩＣであるデジタル回路を全て片面に実装した単層基板と、
一端側に外部との交信を行うコネクタを実装すると共に、該コネクタと上記デジタル回路との間を電気的に接続する配線パターンが形成された多層基板とを備え、
上記多層基板の１つは、上記コネクタとしてＨＤＭＩ規格に準拠した外部機器と交信する為のＨＤＭＩ用インターフェースを一端側に実装した４層基板であって、上記ＩＣの一辺に並ぶピンに直付けされたスタックコネクタを介して他端側にて上記デジタル回路と電気的に接続され、該ＨＤＭＩ用インターフェースが上記単層基板の外周側に位置するように且つ該単層基板の厚み方向に重なるように配置され、
上記多層基板の他の１つは、上記コネクタとして上記液晶パネルへ高周波の差動信号を出力する為のパネル出力インターフェースを一端側に実装した４層基板であって、上記ＩＣの他の一辺に並ぶピンに直付けされたスタックコネクタを介して他端側にて上記デジタル回路と電気的に接続され、該パネル出力インターフェースが上記単層基板の外周側に位置するように且つ該単層基板の厚み方向に重なるように配置されていることを特徴とする回路基板。
【発明の詳細な説明】
【技術分野】
【０００１】
本発明は、アナログ回路とデジタル回路とを実装する回路基板に関する。
【背景技術】
【０００２】
アナログ回路とデジタル回路とを実装する回路基板がよく知られている。例えば、特許文献１には、配線パターンの自由度や回路部品の実装面積やノイズ対策等の観点から、回路基板をメイン基板となる単層基板と単層基板より面積の小さい多層基板とで構成し、単層基板には例えばチューナ回路や電源回路等から構成されるアナログ回路を実装し、画像データを元に液晶パネルに合わせた所定のデジタル処理を行って液晶パネルの駆動を制御する信号処理回路等から構成されるデジタル回路を実装する液晶テレビジョン装置が開示されている。
【０００３】
ここで、回路基板は、製造コストの低減等を考慮すれば高価な多層基板を可及的に小さくすることが望まれており、例えば特許文献２に示すような回路基板が提案されている。
特許文献２には、チューナ回路や電源回路等のアナログ回路と映像処理・パネル駆動回路等のデジタル回路とを共に一枚の単層基板に搭載すると共に、これらアナログ回路とデジタル回路とを単層基板の片面に形成した所定の配線パターンによって互いに接続した液晶テレビの基板構成が開示されている。
【特許文献１】特開２００６−１３５８５０号公報
【特許文献２】実用新案登録第３１１６２３４号公報
【発明の開示】
【発明が解決しようとする課題】
【０００４】
ところで、近年、回路基板には、デジタル回路と外部との交信を行う為のコネクタ、例えばＨＤＭＩ規格に準拠した外部機器等のデジタル出力の外部機器からの入力を受け入れる為のインターフェース、高周波の差動信号を液晶パネルドライバに出力する為のＬＶＤＳ、miniＬＶＤＳ、ＲＳＤＳ等のパネル出力インターフェース等が搭載されている。
上述のコネクタを搭載するような場合、回路基板を一枚の単層基板で構成すると、デジタル回路とコネクタとを電気的に接続する配線パターンのインピーダンスコントロールが難しくデータエラー等を引き起こす可能性が高くなる。多層基板では内層の厚み、絶縁物の厚み、表層のパターン厚み、幅、などでインピーダンス管理を行うことができるが、片面基板では内層がないため誘電率等が管理できないことからインピーダンスコントロールが出来ないのである。そうすると、例えばＨＤＭＩ規格に準拠するには接続確認テストに合格するようにインピーダンス設計を行う必要があるが、単層基板では４層や６層などの多層基板と比較して適切なインピーダンス設計ができない可能性があった。
このように、アナログ回路とデジタル回路とを一枚の単層基板に搭載することによるコストダウンと、デジタル回路を単層基板に搭載する場合のデメリットを解消することとを両立させることは非常に困難であった。
【０００５】
本発明は上記課題に鑑みて為されたもので、その目的とするところは、アナログ回路とデジタル回路とを一枚の単層基板に搭載することによるデメリットを抑制しつつコストダウンすることができる回路基板を提供することにある。
【課題を解決するための手段】
【０００６】
上記目的を達成するための請求項１に記載の発明は、回路基板において、液晶パネルを駆動するためのアナログ回路、及び、ＩＣであるデジタル回路を実装した単層基板と、ＨＤＭＩ規格に準拠した外部機器と交信する為のＨＤＭＩ用インターフェースを一端側に実装すると共に、上記ＩＣに並ぶピンに直付けされたスタックコネクタを介して他端側にて上記デジタル回路と電気的に接続され、該ＨＤＭＩ用インターフェースが上記単層基板の外周側に位置するように且つ該単層基板の厚み方向に重なるように配置され、該ＨＤＭＩ用インターフェースと上記デジタル回路との間を電気的に接続する配線パターンが形成された多層基板とを、備える構成としてある。
【０００７】
上記のように構成された本発明の回路基板において、単層基板にはアナログ回路とデジタル回路とが実装され、多層基板には一端側に外部との交信を行うＨＤＭＩ用インターフェースが実装されると共にそのＨＤＭＩ用インターフェースと上記デジタル回路との間を電気的に接続する配線パターンが形成されることから、アナログ回路とデジタル回路とが一枚の単層基板に搭載されると共に、ＨＤＭＩ用インターフェースとデジタル回路との間を接続する配線パターンのインピーダンスコントロールが容易になる。つまり、ＨＤＭＩ用インターフェースとデジタル回路との間を接続する配線パターン部分のみをインピーダンス設計が容易である多層基板に形成することにより、アナログ回路とデジタル回路との主要部を一枚の単層基板に搭載することが可能になる。
【０００９】
また、好適には、上記多層基板は、スタックコネクタを介して上記単層基板の厚み方向に複数重なるように配置される構成としても良い。このように構成されることで、ＨＤＭＩ規格に準拠した外部機器と交信する為のインターフェースが複数備えられる。
【００１０】
また、回路基板において、液晶パネルを駆動するためのアナログ回路、及び、ＩＣであるデジタル回路を実装した単層基板と、上記液晶パネルへ高周波の差動信号を出力する為のパネル出力インターフェースを一端側に実装すると共に、上記ＩＣに並ぶピンに直付けされたスタックコネクタを介して他端側にて上記デジタル回路と電気的に接続され、該パネル出力インターフェースが上記単層基板の外周側に位置するように且つ該単層基板の厚み方向に重なるように配置され、該パネル出力インターフェースと上記デジタル回路との間を電気的に接続する配線パターンが形成された多層基板とを、備える構成としても良い。
【００１１】
上記のように構成された本発明の回路基板において、単層基板にはアナログ回路とデジタル回路とが実装され、多層基板には一端側に外部との交信を行うパネル出力インターフェースが実装されると共にそのパネル出力インターフェースと上記デジタル回路との間を電気的に接続する配線パターンが形成されることから、アナログ回路とデジタル回路とが一枚の単層基板に搭載されると共に、パネル出力インターフェースとデジタル回路との間を接続する配線パターンのインピーダンスコントロールが容易になる。つまり、パネル出力インターフェースとデジタル回路との間を接続する配線パターン部分のみをインピーダンス設計が容易である多層基板に形成することにより、アナログ回路とデジタル回路との主要部を一枚の単層基板に搭載することが可能になる。
【００１２】
また、回路基板において、液晶パネルを駆動するためのアナログ回路、及び、フラットパッケージ化された略矩形のＩＣであるデジタル回路を全て片面に実装した単層基板と、一端側に外部との交信を行うコネクタを実装すると共に、該コネクタと上記デジタル回路との間を電気的に接続する配線パターンが形成された多層基板とを備え、上記多層基板の１つは、上記コネクタとしてＨＤＭＩ規格に準拠した外部機器と交信する為のＨＤＭＩ用インターフェースを一端側に実装した４層基板であって、上記ＩＣの一辺に並ぶピンに直付けされたスタックコネクタを介して他端側にて上記デジタル回路と電気的に接続され、該ＨＤＭＩ用インターフェースが上記単層基板の外周側に位置するように且つ該単層基板の厚み方向に重なるように配置され、上記多層基板の他の１つは、上記コネクタとして上記液晶パネルへ高周波の差動信号を出力する為のパネル出力インターフェースを一端側に実装した４層基板であって、上記ＩＣの他の一辺に並ぶピンに直付けされたスタックコネクタを介して他端側にて上記デジタル回路と電気的に接続され、該パネル出力インターフェースが上記単層基板の外周側に位置するように且つ該単層基板の厚み方向に重なるように配置されている構成としても良い。このように構成されることで、液晶駆動回路の回路基板において、コネクタとデジタル回路との間を接続する配線パターン部分のみをインピーダンス設計が容易である４層基板に形成することにより、アナログ回路とデジタル回路との主要部を一枚の単層基板の片面に搭載することが可能になる。また、単層基板におけるデジタル回路のＩＣと多層基板（スタックコネクタ）との間を接続する配線パターンが可及的に短くされると共に、コネクタとデジタル回路との間を接続する配線パターンが適切に単層基板の外周側まで引き延ばされる。ＨＤＭＩ規格に準拠するためのインピーダンス設計が容易に行える。また、液晶パネルへ高周波の差動信号を出力する為のインターフェースを用いる際のインピーダンス設計が容易に行える。
【発明の効果】
【００１３】
以上説明したように、請求項１に記載の発明によれば、液晶パネルを駆動するためのアナログ回路、及び、ＩＣであるデジタル回路が一枚の単層基板に搭載されると共に、ＨＤＭＩ用インターフェースとデジタル回路との間を接続する配線パターンのインピーダンスコントロールが容易になるので、つまりＨＤＭＩ用インターフェースとデジタル回路との間を接続する配線パターン部分のみをインピーダンス設計が容易である多層基板に形成することによりアナログ回路とデジタル回路との主要部を一枚の単層基板に搭載することが可能になるので、アナログ回路とデジタル回路とを一枚の単層基板に搭載することによるデメリットを抑制しつつコストダウンすることができる回路基板が提供される。
【００１４】
また、請求項２に記載の発明によれば、液晶パネルを駆動するためのアナログ回路、及び、ＩＣであるデジタル回路が一枚の単層基板に搭載されると共に、パネル出力インターフェースとデジタル回路との間を接続する配線パターンのインピーダンスコントロールが容易になるので、つまりパネル出力インターフェースとデジタル回路との間を接続する配線パターン部分のみをインピーダンス設計が容易である多層基板に形成することによりアナログ回路とデジタル回路との主要部を一枚の単層基板に搭載することが可能になるので、アナログ回路とデジタル回路とを一枚の単層基板に搭載することによるデメリットを抑制しつつコストダウンすることができる回路基板が提供される。
【００１７】
また、請求項３に記載の発明によれば、コネクタとデジタル回路との間を接続する配線パターン部分のみをインピーダンス設計が容易である４層基板に形成することにより、アナログ回路とデジタル回路との主要部を一枚の単層基板の片面に搭載することが可能になるので、アナログ回路とデジタル回路とを一枚の単層基板の片面に搭載することによるデメリットを抑制しつつ一層コストダウンすることができる。また、単層基板におけるデジタル回路のＩＣと多層基板（スタックコネクタ）との間を接続する配線パターンが可及的に短くされるので、単層基板のインピーダンス影響が可及的に小さくされる。また、コネクタとデジタル回路との間を接続する配線パターンが適切に単層基板の外周側まで引き延ばされるので、コネクタが適切な位置に配置されると共に回路基板を配置する際の巾方向の占有面積が拡大されない。また、ＨＤＭＩ規格に準拠するためのインピーダンス設計や液晶パネルへ高周波の差動信号を出力する為のインターフェースを用いる際のインピーダンス設計が容易に行えるので、これらインターフェースを介した伝送時のデータエラー発生が抑制される。
【発明を実施するための最良の形態】
【００１８】
以下、下記の項目に従って本発明の実施形態を図面を参照しつつ説明する。
（１）回路基板を備える液晶表示装置の概略構成
（２）回路基板の構成
（３）変形例
（４）まとめ
【００１９】
（１）回路基板を備える液晶表示装置の概略構成
以下、図１及び図２を参照して本発明が適用される回路基板１４を備えた液晶表示装置１０の概略構成を説明する。図１は液晶表示装置１０の斜視図であり、図２は液晶表示装置１０のブロック構成図である。図１、２において、液晶表示装置１０は、液晶モジュール１１と、筺体１２とを主体として構成されている。
尚、本実施形態では本発明が適用される回路基板を備える装置として液晶表示装置を例示するが、液晶表示装置に限定されるものではなく映像を表示可能な表示装置であればよい。例えば、プラズマディスプレイ等の薄型ディスプレイ、スクリーンに映像を投影するプロジェクタ装置、液晶テレビジョン装置やプラズマテレビやリアプロジェクションテレビや有機ＥＬテレビ等の薄型テレビジョン装置などであれば、本発明の要旨を逸脱しない範囲で種々の変形実施の形態が可能である。また、表示装置でなくとも、上記電源回路を備えるオーディオ・ビジュアル機器等に本発明は適用され得る。
【００２０】
液晶モジュール１１は、液晶パネル２６等を収納し、液晶パネル２６の表示面とは反対側となる背面、および上下左右側面を板金で覆われた厚みの薄い構造である。また、液晶モジュール１１にはその補強として、液晶モジュール１１の背面に柱状のシャーシブラケット１３ａ、１３ｂがネジ止めされている。さらに、液晶モジュール１１の背面には、液晶パネル２６を駆動する液晶駆動回路２０が実装されつつ液晶モジュール１１と電気的に接続された回路基板１４が固定されている。つまり、液晶駆動回路２０は、液晶モジュール１１と電気的に接続される回路基板１４に搭載された回路である。
【００２１】
筺体１２は、フロントキャビネット１２ａとリアキャビネット１２ｂとから構成されている。フロントキャビネット１２ａは、前面に映像を表示するための開口部を有しており、液晶モジュール１１がこのフロントキャビネット１２ａにネジ止めされた後、フロントキャビネット１２ａにリアキャビネット１２ｂが組み付けられることにより液晶表示装置１０を構成する各構成品を収容する。
【００２２】
液晶駆動回路２０は、概略、映像回路２１とタイミングコントローラ２２とから構成されるデジタル回路２０ａと、電源回路２３とマイコン２４とインバータ回路２５とから構成されるアナログ回路２０ｂとを備えている。
また、液晶モジュール１１は、液晶パネル２６と、ソース回路２７と、ゲート回路２８と、バックライト２９とから構成されている。
【００２３】
電源回路２３は、外部の商用電源等から電源電圧（交流）の供給を受けるとともに、同供給された電源電圧を、マイコン２４を始めインバータ回路２５等の各回路へ供給する。電源回路２３は、必要に応じて各回路へ供給する電圧を交流から直流へと変換する。
【００２４】
マイコン２４は、液晶表示装置１０を構成する各部と電気的に接続されており、マイコン２４内部の構成部品としてのＣＰＵ２４ａが、同じくマイコン２４内の構成部品であるＲＯＭ２４ｂやＲＡＭ２４ｃなどに書き込まれた各プログラムに従って、液晶表示装置１０全体を制御する。
【００２５】
映像回路２１は、入力された元画像データ例えばＲＧＢ（レッド、グリーン、ブルー）信号からなるデジタル画像データに対して液晶パネル２６のマトリクス状に配列された画素数（横縦比、ｍ：ｎ）に合わせたスケーリング処理を行い、液晶パネル２６に表示する１画面分の画像データを生成する。さらに、この画像データに対して、輝度補正、コントラスト調整、彩度補正等の各種処理を行った上で、処理後の画像データを出力する。尚、上記ＲＧＢ信号からなるデジタル画像データは、任意の画像を表現する基となる映像信号から抽出された輝度信号と色差信号とに基づいてマトリクス変換処理が行われて生成された画像データであったり、マイコン等により生成された画像データ等である。また、上記映像信号は、例えば公知のアンテナによって受信されたテレビジョン放送信号から公知のチューナ回路によって抽出された映像信号、アナログ出力の外部機器（例えば映像再生機器）から入力された映像信号、ＨＤＭＩ規格に準拠した外部機器等のデジタル出力の外部機器から入力された映像信号等である。
【００２６】
タイミングコントローラ２２は、映像回路２１から供給されたＲＧＢ信号からなる画像データや、マイコン２４から供給されたソース回路２７及びゲート回路２８を制御するための制御信号等に従って、ソース回路２７、ゲート回路２８等を制御する。より具体的には、タイミングコントローラ２２は、ソース回路２７及びゲート回路２８に対して、例えば動作モードの設定や内部で生成した垂直同期信号や水平同期信号の供給を行う。
【００２７】
タイミングコントローラ２２は、画像データが供給された場合、この画像データをＲＡＭに保持する。また同様に制御信号が供給された場合、タイミングコントローラ２２はＲＡＭに制御信号を保持する。そして、ＲＯＭに設定された内容に従って、クロック信号を生成する。また、クロック信号により生成された表示タイミングによりＲＡＭに記憶された画像データから所定の形式の画像データを生成し、ソース回路２７に供給する。例えば、タイミングコントローラ２２に一画面単位の画像データが入力されると、タイミングコントローラ２２はクロック信号と水平同期信号と垂直同期信号とを生成する。次に、タイミングコントローラ２２は、画像データとクロック信号と水平同期信号をソース回路２７に、クロック信号と垂直同期信号とをゲート回路２８に出力する。
【００２８】
インバータ回路２５は、電源回路２３から供給された直流電圧を交流電圧に変換し、駆動信号としてのその交流電圧をバックライト２９に供給し、バックライト２９を点灯させる。
【００２９】
ソース回路２７およびゲート回路２８は、例えばそれぞれドライバーＩＣを備え、液晶駆動回路２０から出力された画像データに基づいて制御されて液晶パネル２６を駆動することにより、液晶パネル２６に画像データに応じた画像を表示させる。バックライト２９は、液晶パネル２６を背面側から照射する光源であり、例えば複数本の冷陰極管等を有する。
【００３０】
（２）回路基板の構成
以下、図１〜図４を参照して回路基板１４の構成を詳細に説明する。図３はリアキャビネット１２ｂ側から見た回路基板１４の正面図であり、図４は図３のＡ−Ａ断面における回路基板１４の断面図である。
図３、４において、デジタル回路２０ａの主要部分は、ＱＦＰ（Quad Flat Package）化等のフラットパッケージ化された略矩形のＩＣである。
回路基板１４は、アナログ回路２０ｂとデジタル回路２０ａとを一方の片面１４ａ１に全て実装する単層基板１４ａと、
ＨＤＭＩ（High-Definition Multimedia Interface）規格に準拠した外部機器と交信する為のコネクタとしてのＨＤＭＩ用インターフェース３０を一端側に実装すると共に、ＨＤＭＩ用インターフェース３０とデジタル回路２０ａとの間を電気的に接続する配線パターン３１が形成された４層の多層基板１４ｂと、
液晶モジュール１１側（液晶パネル２６側のドライバＩＣ）へ高周波の差動信号を出力する為のＬＶＤＳ（Low Voltage Differential Signaling）、miniＬＶＤＳ、ＲＳＤＳ（Reduced Swing Differential Signaling）等のパネル出力インターフェース３３を一端側に実装すると共に、パネル出力インターフェース３３とデジタル回路２０ａとの間を電気的に接続する配線パターン３４が形成された４層の多層基板１４ｃとを、備えている。
多層基板１４ｂは、デジタル回路（ＩＣ）２０ａの一辺２０ａ１に並ぶピン２０ａ２に直に半田付けされたスタックコネクタ３２を介して他端側にて上記デジタル回路と電気的に接続され、ＨＤＭＩ用インターフェース３０が単層基板１４ａの外周側に位置するように且つ単層基板１４ａの厚み方向に重なるように配置されている。
多層基板１４ｃは、デジタル回路（ＩＣ）２０ａの他の一辺２０ａ３に並ぶピン２０ａ４に直に半田付けされたスタックコネクタ３５を介して他端側にて液晶モジュール１１（液晶パネル２６）と電気的に接続され、パネル出力インターフェース３３が単層基板１４ａの外周側に位置するように且つ単層基板１４ａの厚み方向に重なるように配置されている。
【００３１】
上記のように構成された液晶表示装置１０において、ＨＤＭＩ用インターフェース３０とデジタル回路２０ａとの間の電気的な接続をする配線パターン３１やパネル出力インターフェース３３とデジタル回路２０ａとの間の電気的な接続をする配線パターン３４のようなインピーダンスコントロールが必要な箇所のみ４層の多層基板１４ｂ、１４ｃとされることで配線パターン３１、３４のインピーダンスコントロールが容易になる。例えば、ＨＤＭＩ規格に準拠するためのインピーダンス設計が容易に行えたり、高周波の差動信号を出力する為のパネル出力インターフェース３３を用いる際のインピーダンス設計が容易に行える。また、配線パターン３１、３４以外の他の部分である液晶駆動回路２０（デジタル回路２０ａ、アナログ回路２０ｂ）部分は全て一枚の単層基板１４ａの片面に実装される。つまり、配線パターン３１、３４部分のみをインピーダンス設計が容易である多層基板１４ｂ、１４ｃに形成することにより、アナログ回路２０ｂとデジタル回路２０ａとの主要部を一枚の単層基板１４ａに搭載することが可能になる。
また、スタックコネクタ３２、３５はデジタル回路（ＩＣ）２０ａのピン２０ａ２、２０ａ４に直付けされることから、単層基板１４ａにおけるデジタル回路（ＩＣ）２０ａと多層基板１４ｂ、１４ｃ（スタックコネクタ３２、３５）との間を接続する配線パターンが可及的に短くされる。
また、配線パターン３１、３４が適切に単層基板１４ａの外周側まで引き延ばされる。
【００３２】
（３）変形例
図５は、多層基板１４ｂの別の実施例を示す図である。図５（ａ）は同一基板上に複数のＨＤＭＩ用インターフェース３０を備えた場合の正面図であり、図５（ｂ）は基板を複数重ねた場合の側面図である。
図５（ａ）において、多層基板１４ｂは、同一基板上に複数のＨＤＭＩ用インターフェース３０を一端側に実装すると共に、各ＨＤＭＩ用インターフェース３０とデジタル回路２０ａとの間を電気的にそれぞれ接続する配線パターン３６が形成されている。
図５（ｂ）において、多層基板１４ｂは、スタックコネクタ３７を介して単層基板１４ａの厚み方向に複数重なるように配置される。
このように構成することで、ＨＤＭＩ用インターフェース３０を容易に複数備えることが可能になる。
【００３３】
（４）まとめ
上述のように、本実施例によれば、配線パターン３１、３４部分のみをインピーダンス設計が容易である多層基板１４ｂ、１４ｃに形成することにより、アナログ回路２０ｂとデジタル回路２０ａとの主要部を一枚の単層基板１４ａに搭載することが可能になるので、アナログ回路２０ｂとデジタル回路２０ａとを一枚の単層基板１４ａに搭載することによるデメリットを抑制しつつコストダウンすることができる回路基板１４が提供される。
また、単層基板１４ａにおけるデジタル回路（ＩＣ）２０ａと多層基板１４ｂ、１４ｃ（スタックコネクタ３２、３５）との間を接続する配線パターンが可及的に短くされるので、単層基板１４ａのインピーダンス影響が可及的に小さくされる。
また、配線パターン３１、３４が適切に単層基板１４ａの外周側まで引き延ばされるので、ＨＤＭＩ用インターフェース３０やパネル出力インターフェース３３が適切な位置に配置されると共に回路基板１４を配置する際の巾方向の占有面積が拡大されない。
また、ＨＤＭＩ規格に準拠するためのインピーダンス設計や高周波の差動信号を出力する為のパネル出力インターフェース３３を用いる際のインピーダンス設計が容易に行えるので、ＨＤＭＩ用インターフェース３０やパネル出力インターフェース３３を介した伝送時のデータエラー発生が抑制される。
【００３４】
また、本実施例によれば、ＨＤＭＩ用インターフェース３０を容易に複数備えることが可能になるので、低コストでユーザビリティを向上させることができる。
【００３５】
尚、アナログ回路２０ｂとデジタル回路２０ａとは単層基板１４ａの一方の片面１４ａ１に必ずしも全て実装される必要はなく、例えばアナログ回路２０ｂ内の一部が一方の片面１４ａ１に実装されなくとも一応の効果は得られる。
【００３６】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００３７】
【図１】本発明が適用される回路基板を備えた液晶表示装置を例示する斜視図である。
【図２】液晶表示装置の構成を例示するブロック図である。
【図３】リアキャビネット側から見た回路基板を例示する正面図である。
【図４】図３のＡ−Ａ断面における回路基板の断面図である。
【図５】多層基板の別の実施例を例示する図である。
【符号の説明】
【００３８】
１４：回路基板
１４ａ：単層基板
１４ｂ、１４ｃ：多層基板
２０：液晶駆動回路
２０ａ：デジタル回路、ＩＣ
２０ａ１、２０ａ３：ＩＣの一辺
２０ａ２、２０ａ４：ピン
２０ｂ：アナログ回路
２６：液晶パネル
３０：ＨＤＭＩ用インターフェース（コネクタ）
３３：パネル出力インターフェース（コネクタ）
３２、３５、３７：スタックコネクタ
３１、３４、３６：配線パターン 
【図１】
0004582350.tif 000002
【図２】
0004582350.tif 000003
【図３】
0004582350.tif 000004
【図４】
0004582350.tif 000005
【図５】
0004582350.tif 000006